【手続補正書】
【提出日】平成18年5月15日(2006.5.15)
【手続補正１】
【補正対象書類名】特許請求の範囲
【補正対象項目名】全文
【補正方法】変更
【補正の内容】
【特許請求の範囲】
【請求項１】
方法であって、下記を具備する：
宛て先におけるデータのパケットの受信を示す承認メッセージを受信すること；
対応する複数の送信されたデータのパケットに関係付けられた複数の前に受信された承認メッセージの複数の遅延の統計的平均及び変動を決定すること、ここで、各遅延は、データのパケットを送信することと承認を受信することとの間の時間間隔である；
前記複数の遅延の統計的平均及び変動に基づいて遅延期間を決定すること；
第１のプロトコルレイヤから第２のプロトコルレイヤへ前記受信された承認メッセージを渡すことを前記決定された遅延期間だけ遅延させること。
【請求項２】
請求項１に記載の方法、ここで、前記第２のプロトコルレイヤは、ＴＣＰプロトコルレイヤである。
【請求項３】
データプロセシングユニットであって、下記を具備する：
宛て先におけるデータのパケットの受信を示す承認メッセージを受信するための入力；
対応する複数の送信されたデータのパケットに関係付けられた複数の前に受信された承認メッセージの複数の遅延の統計的平均及び変動を決定するため、ここで、各遅延は、データのパケットを送信することと承認を受信することとの間の時間間隔である、及び前記複数の遅延の統計的平均及び変動に基づいて遅延期間を決定するための、プロセシングユニット；
第１のプロトコルレイヤから第２のプロトコルレイヤへ前記受信された承認メッセージを渡すことを前記決定された遅延期間だけ遅延させるためのデータ記憶ユニット。
【請求項４】
請求項３に記載のデータプロセシングユニット、ここで、前記第２のプロトコルレイヤは、ＴＣＰプロトコルレイヤである。
【請求項５】
請求項３に記載のデータプロセシングユニット、ここで、前記宛て先は、通信システムにおける移動局である。
【請求項６】
方法であって、下記を具備する：
宛て先におけるデータのパケットの受信を示す暗号化された承認メッセージを受信すること、ここで、前記暗号化された承認メッセージは、暗号化されたデータと統合される；
対応する複数の送信されたデータのパケットに関係付けられた複数の前に受信された承認メッセージの複数の遅延の統計的平均及び変動を決定すること、ここで、各遅延は、データのパケットを送信することと承認を受信することとの間の時間間隔である；
前記複数の遅延の統計的平均及び変動に基づいて遅延期間を決定すること；
第１のプロトコルレイヤから第２のプロトコルレイヤへ前記受信された暗号化された承認メッセージ及び暗号化されたデータを渡すことを前記決定された遅延期間だけ遅延させること。
【請求項７】
請求項６に記載の方法、ここで、前記第２のプロトコルレイヤは、ＴＣＰプロトコルレイヤである。
【請求項８】
データプロセシングユニットであって、下記を具備する：
宛て先におけるデータのパケットの受信を示す暗号化された承認メッセージを受信するための入力、ここで、前記暗号化された承認メッセージは、暗号化されたデータと統合される；
対応する複数の送信されたデータのパケットに関係付けられた複数の前に受信された承認メッセージの複数の遅延の統計的平均及び変動を決定するため、ここで、各遅延は、データのパケットを送信することと承認を受信することとの間の時間間隔である、及び前記複数の遅延の統計的平均及び変動に基づいて遅延期間を決定するための、プロセシングユニット；及び
第１のプロトコルレイヤから第２のプロトコルレイヤへ前記受信された暗号化された承認メッセージ及び暗号化されたデータを渡すことを前記決定された遅延期間だけ遅延させさせるためのデータ記憶ユニット。
【請求項９】
請求項８に記載のデータプロセシングユニット、ここで、前記第２のプロトコルレイヤは、ＴＣＰプロトコルレイヤである。
【請求項１０】
請求項８に記載のデータプロセシングユニット、ここで、前記宛て先は、通信システムにおける移動局である。
【請求項１１】
データの通信のためのシステムであって、下記を具備する：
物理レイヤプロトコルを介してデータの無線リンクプロトコル（ＲＬＰ）パケットを通信するため及び宛て先におけるデータの送信制御プロトコル（ＴＣＰ）パケットの受信を示す承認メッセージを処理するための基地局、ここで、前記データのＴＣＰパケットは、１若しくはそれより多い前記データのＲＬＰパケットを具備する；
下位のプロトコルレイヤからＴＣＰプロトコルレイヤへ前記承認メッセージを渡すため、対応する複数の送信されたＴＣＰパケットに関係付けられた複数の承認メッセージの複数の遅延の統計的平均及び変動を決定するため、ここで、各遅延は、データのＴＣＰパケットを送信することと承認を受信することとの間の時間間隔である、前記複数の遅延の統計的平均及び変動に基づいて遅延期間を決定するため、前記下位のプロトコルレイヤから前記ＴＣＰプロトコルレイヤへ前記受信された承認メッセージを渡すことを前記決定された遅延期間だけ遅延させるために、前記基地局に接続されたプロセッサ；及び
宛て先へ前記データのＴＣＰパケットを配信するために前記基地局に通信的に接続されたネットワーク。
【請求項１２】
請求項１１に記載のシステム、ここで、前記宛て先は、移動局である。
【請求項１３】
データの通信のためのシステムであって、下記を具備する：
物理レイヤプロトコルを介してデータの無線リンクプロトコル（ＲＬＰ）パケットを通信するため及び宛て先におけるデータの送信制御プロトコル（ＴＣＰ）パケットの受信を示す承認メッセージを処理するための基地局、ここで、前記データのＴＣＰパケットは、１若しくはそれより多い前記データのＲＬＰパケットを具備し、そして前記暗号化された承認メッセージは、暗号化されたデータと統合される；
下位のプロトコルレイヤからＴＣＰプロトコルレイヤへ前記暗号化された承認メッセージ及び暗号化されたデータを渡すため、対応する複数の送信されたデータのＴＣＰパケットに関係付けられた複数の前記承認メッセージの複数の遅延の統計的平均及び変動を決定するため、ここで、各遅延は、データのＴＣＰパケットを送信することと承認を受信することとの間の時間間隔である、前記複数の遅延の統計的平均及び変動に基づいて遅延期間を決定するため、前記下位のプロトコルレイヤからＴＣＰプロトコルレイヤへ前記受信され暗号化された承認メッセージを渡すことを前記決定された遅延期間だけ遅延させるために、前記基地局に接続されたプロセッサ；及び
前記宛て先へ前記データのＴＣＰパケットを配信するために前記基地局に通信的に接続されたネットワーク。
【請求項１４】
請求項１３に記載のシステム、ここで、前記宛て先は、移動局である。
【請求項１５】
宛て先に複数のデータパケットを通信するレートを変更するために構成された装置であって、該装置は下記を具備する：
下位のプロトコルレイヤ及び上位のプロトコルレイヤを具備するプロトコルレイヤのスタック、下位のプロトコルレイヤは（ａ）前記上位のプロトコルレイヤから前記宛て先へ向けてデータパケットを渡すため、及び（ｂ）前記上位のプロトコルレイヤへ承認メッセージを渡すために構成され、前記承認メッセージは前記上位のプロトコルレイヤから前記データパケットを適正に受信した前記宛て先を示す；
（ａ）前の承認メッセージの複数の遅延に基づいて前記データパケットを送信することと前記承認メッセージを受信することとの間の予想される遅延を決定するため、及び（ｂ）前記承認メッセージが前記予想された遅延の範囲内で受信されないのであれば、前記データパケットを送信するため、に構成された前記上位のプロトコルレイヤ；
ここで、前記下位のプロトコルレイヤは、前記予想される遅延を制御する；
ここで、前記予想される遅延は、前記上位のプロトコルレイヤによって受信されている承認メッセージの実際の複数の遅延の履歴に基づく、該装置は下記をさらに具備する：
前記実際の遅延履歴の統計的な平均及び前記実際の遅延履歴の変動を使用して遅延期間を決定するための手段、
ここで、前記下位のプロトコルレイヤは、前記上位のプロトコルレイヤへの前記承認メッセージの伝播を前記決められた遅延期間だけ遅らせるように構成される。
【請求項１６】
請求項１５に記載の装置、ここで、前記下位のプロトコルレイヤは、複数のプロトコルレイヤを具備する。
【請求項１７】
請求項１５に記載の装置、ここで、前記上位のプロトコルレイヤは、該上位のプロトコルレイヤによって受信された複数の承認メッセージの実際の複数の遅延の履歴に基づいて前記予想される遅延を決定する、前記上位のプロトコルレイヤは前記予想される遅延を決定するために前記実際の複数の遅延の変動を採用するように構成される、ここで、前記下位のプロトコルレイヤは、前記実際の複数の遅延の変動を増加させることによって前記予想される遅延を制御する。
【請求項１８】
請求項１５に記載の装置、ここで、前記上位のプロトコルレイヤデータパケットは、複数の下位のプロトコルレイヤデータパケットを具備する、ここで、前記下位のプロトコルレイヤは、前記宛て先への少なくとも１つの前記下位のプロトコルレイヤデータパケットの伝播を遅延させる。
【請求項１９】
請求項１８に記載の装置、ここで、前記下位のプロトコルレイヤは、少なくとも１つの前記下位のプロトコルレイヤデータパケットの伝播をランダムに遅延させるように構成される。
【請求項２０】
請求項１７に記載の装置、ここで、前記上位のプロトコルレイヤは、前記予想される遅延を算出するために前記実際の複数の遅延の統計的な平均を採用するように構成される。
【請求項２１】
請求項１５に記載の装置、ここで、前記下位のプロトコルレイヤは、前記上位のプロトコルレイヤへの前記承認メッセージの伝播を遅延させる。
【請求項２２】
請求項２１に記載の装置、
ここで、データパケットは、複数のデータパケットを含む、
ここで、前記下位のプロトコルレイヤは、前記上位のプロトコルレイヤへの前記承認メッセージ及び少なくとも１つの前記データパケットの両者の伝播を遅延させるための手段を具備する、及び
ここで、前記下位のプロトコルレイヤは、前記上位のプロトコルレイヤへの前記承認メッセージ及び少なくとも１つの前記データパケットの前記伝播を前記決められた遅延期間だけ遅延させるために構成される。
【請求項２３】
請求項１５に記載の装置、ここで、前記下位のプロトコルレイヤは、無線リンクプロトコル（ＲＬＰ）レイヤであり、及び前記上位のプロトコルレイヤは、送信制御プロトコル（ＴＣＰ）レイヤである。